(57)【要約】【課題】採光量が大きく、採光した太陽光を無駄なく利用でき、見映えの面でも優れた日照確保構造を提供する。【解決手段】十分な量の太陽光Ｌを日陰側建物Ａの屋上ａに設けた凹面鏡３で収束反射、その収束させた太陽光Ｌを日照側建物Ｂの屋上ｂ付近に設置された凸面鏡４に当てる。凸面鏡４は、恰も「第２の太陽」のように、太陽光Ｌを日陰側建物Ｂへ向けて広範囲に拡散反射する。凸面鏡４で広範囲に拡散反射しても、予め凹面鏡３で十分な太陽光Ｌを採光しているため、明るさに問題はない。【選択図】  図１
2005029986.tif 000002
【特許請求の範囲】
【請求項１】
日陰側建物の日照側に日照側建物が建てられ、日陰側建物側への太陽光の少なくとも一部が日照側建物により制限される関係にある建物間の日照確保構造であって、
前記日照側建物の頂部付近に、日陰側建物へ向けた凸面鏡を設置し、
日陰側建物の頂部に、太陽光を凸面鏡へ向けて収束反射させるように向きが制御される凹面鏡を備えたヘリオスタットを設置し、
凹面鏡により凸面鏡へ収束反射させた太陽光を凸面鏡により日陰側建物側へ向けて拡散反射させることを特徴とする日照確保構造。
【請求項２】
請求項１記載の日照確保構造であって、
凸面鏡を日照側建物の頂部における外縁付近又は外縁から外側へ突出させた状態で設置したことを特徴とする日照確保構造。
【請求項３】
請求項２記載の日照確保構造であって、
凸面鏡を回転レバーの先端へ設置し、該回転レバーを回転させることにより、凸面鏡を日照側建物の頂部における外縁付近又は外縁から外側へ突出させた状態と、凸面鏡を日照側建物の頂部内の領域に位置させた状態のそれぞれが得られるようになっていることを特徴とする日照確保構造。
【発明の詳細な説明】
【０００１】
【発明の属する技術分野】
本発明は、隣接する建物により日照の一部が制限される建物の日照確保構造に関する。
【０００２】
【従来の技術】
既存建物の日照側に高い隣接建物が建てられると、その隣接建物により既存建物への日照が制限され、その建物間において日照権問題が発生する。従来は、既存建物への日照を確保するための構造として、受光パネルを隣接建物の日照部分に一定角度で設置し、隣接建物の一部には既存建物側へ向けた発光パネルを設置した。そして、受光パネルで受光した太陽光を多数本の光ファイバーを介して発光パネルに伝達し、該発光パネルから既存建物に向けて太陽光を照射している（例えば、特許文献１参照）。
【０００３】
【特許文献１】
特開２００２−３０９７８５号公報
【０００４】
【発明が解決しようとする課題】
しかしながら、このような従来の技術にあっては、一定角度に設置された受光パネルで太陽光を採光するため、太陽の高度によっては受光パネルの太陽光に対する採光面積が小さくなり、十分な太陽光を受光することができない。また、受光パネルで受光した太陽光を多数本の光ファイバーで発光パネルに伝達する構造のため、太陽光の伝達効率が悪い。更に、既存建物の全体に太陽光を照射するには、大きな受光パネルと共に、大きな発光パネルが必要となり、建物自体の見映えが低下する。
【０００５】
本発明は、このような従来の技術に着目したものであり、採光量が大きく、採光した太陽光を無駄なく利用でき、見映えの面でも優れた日照確保構造を提供するものである。
【０００６】
【課題を解決するための手段】
請求項１記載の発明は、日陰側建物の日照側に日照側建物が建てられ、日陰側建物側への太陽光の少なくとも一部が日照側建物により制限される関係にある建物間の日照確保構造であって、前記日照側建物の頂部付近に、日陰側建物へ向けた凸面鏡を設置し、日陰側建物の頂部に、太陽光を凸面鏡へ向けて収束反射させるように向きが制御される凹面鏡を備えたヘリオスタットを設置し、凹面鏡により凸面鏡へ収束反射させた太陽光を凸面鏡により日陰側建物側へ向けて拡散反射させることを特徴とする。
【０００７】
請求項２記載の発明は、凸面鏡を日照側建物の頂部における外縁付近又は外縁から外側へ突出させた状態で設置したことを特徴とする。
【０００８】
請求項３記載の発明は、凸面鏡を回転レバーの先端へ設置し、該回転レバーを回転させることにより、凸面鏡を日照側建物の頂部における外縁付近又は外縁から外側へ突出させた状態と、凸面鏡を日照側建物の頂部内の領域に位置させた状態のそれぞれが得られるようになっていることを特徴とする。
【０００９】
【発明の効果】
請求項１記載の発明によれば、ヘリオスタットの凹面鏡が、太陽光を日照側建物の頂部付近にある凸面鏡へ向けて反射するように角度変化するため、凹面鏡の太陽光に対する採光面積が大きく、日陰側建物への日照確保のために、十分な量の太陽光を採光することができる。また、太陽光を凹面鏡により収束反射して直接凸面鏡へ送るため、伝達効率が良い。更に、太陽光は凹面鏡にて収束反射されるため、日照側建物に設置される凹面鏡のサイズは小さくて済み、見映えが良い。凸面鏡は小さくても拡散反射するため、日陰側建物の広範囲を照らすことができる。
【００１０】
請求項２記載の発明によれば、凸面鏡を日照側建物の頂部における外縁付近又は外縁から外側へ突出させた状態で設置するため、日陰側建物の最下部或いは日陰側建物と日照側建物の間の地面も、凸面鏡からの拡散光により照射することができる。
【００１１】
請求項３記載の発明によれば、回転レバーを回転させることにより、凸面鏡を日照側建物の頂部内に位置させた状態にすることができるため、凸面鏡の清掃等のメンテナンスが容易である。
【００１２】
【発明の実施の形態】
以下、この発明の好適な一実施形態を図１〜図４に基づいて説明する。日陰側建物Ａの日照側（南側）には、日陰側建物Ａよりも高い日照側建物Ｂが建てられている。日陰側建物Ａの屋上ａにはヘリオスタット１が設置されている。ヘリオスタット１は支柱２と凹面鏡３を備えている。凹面鏡３は概ね太陽Ｓ側を向いており、図示せぬ制御機構により方位方向及び高度方位での角度が制御される。支柱２は日陰側建物Ａの屋上ａの外縁からｄだけ内側に後退している。従って、ヘリオスタット１全体が日陰側建物Ａの屋上ａ領域内に位置しており、屋上ａから外側へ出っ張らない。そして、日陰側建物Ａの下から見上げた場合にも、ヘリオスタット１が見えづらく、日陰側建物Ａの住人にとっては気にならない。また、ヘリオスタット１の一部が何らかの理由で破壊されても、その破片は日陰側建物Ａの屋上ａで受け止められ、日陰側建物Ａの下に落下するおそれはない。
【００１３】
日照側建物Ｂの屋上ｂ付近には、屋上ｂにおける外縁から外側へ若干突出した状態の凸面鏡４が設けられている。この凸面鏡４は、ヘリオスタット１の凹面鏡３に比べてサイズが小さく、回転レバー５の先端に所定角度で設けられている。
回転レバー５は途中部分が支柱７の上端における回動支点７ａに縦方向（横方向でも可）で回動自在に支持され、基端にはカウンタウェイト６が設けられている。回転支点７ａには図示せぬロック機構が設けられ、該ロック機構を操作することにより、回転レバー５の凸面鏡４を日陰側建物Ａ側へ向けた水平状態と、逆側へ向けた水平状態が得られるようになっている。逆側へ回動させた状態で、凸面鏡４は日陰側建物Ａの屋上ａの領域内に位置する。また、凸面鏡４が日照側建物Ｂの屋上ｂから若干外側へ突出した状態になっても、凸面鏡４自体のサイズが小さいため、見映えの点で問題になることはない。
【００１４】
次に、この実施形態の作用を説明する。ヘリオスタット１の凹面鏡３により、太陽光Ｌを収束反射して凸面鏡４に当てる。ヘリオスタット１の凹面鏡３は、太陽Ｓがどのような位置にあろうとも、太陽光Ｌを凸面鏡４へ向けて反射するように向きが制御されるため、従来のように一定角度で固定される受光パネルに比べて、凹面鏡３の太陽光Ｌに対する採光面積Ｗを大きく確保し続けることができ、十分な量の太陽光Ｌを採光することができる。
【００１５】
そして、その十分な量の太陽光Ｌを収束させて凸面鏡４に当て、それを凸面鏡４で日陰側建物Ａ側へ向けて拡散反射するため、凸面鏡４が恰も「第２の太陽」のように日陰側建物Ａ側へ向けて光り輝き、日陰側建物Ａ及び、日照側建物Ｂとの間の地面Ｇを照らす。凸面鏡４が太陽光Ｌを拡散した状態で反射するため、日陰側建物Ａ及びその周辺へ向けて太陽光Ｌを広範囲に照射することができる。広範囲に照射しても、予め十分な量の太陽光Ｌを収束させてあるため、照射力が強い。また、太陽光Ｌは凹面鏡３により収束反射して直接凸面鏡４へ送るため、伝達効率が良く、凹面鏡３で採光した太陽光Ｌを殆どを無駄なく凸面鏡４へ送ることができる。
【００１６】
特に、この実施形態では、凸面鏡４を日照側建物Ｂの屋上ｂにおける外縁よりも若干外側へ出した状態にしたため、真下に照射して、日陰側建物Ａと日照側建物Ｂの間の地面Ｇにも確実に太陽光Ｌを照射できる。従って、この地面Ｇに植え込み等の植物があっても、日照不足により枯れたりすることはない。更に、凸面鏡４をこのように屋上ｂから外側へ突出させた状態にすると、凸面鏡４の曲率や、凸面鏡４の保持角度を変えることにより、日照側建物Ｂ自体の裏側面８にも凸面鏡４で反射された太陽光Ｌを照射可能である。
【００１７】
そして、凸面鏡４が長期使用により汚れたような場合には、図４に示すように、回転レバー５を回転させる。カウンタウェイト６があるため、回転操作が容易である。回転レバー５を回転させることにより、凸面鏡４が日照側建物Ｂの屋上ｂの領域内に位置し、作業員Ｍによる凸面鏡４の清掃メンテナンス等を安全な状態で行うことができる。ヘリオスタット１の凹面鏡３は制御パネルの操作により角度を自由に変えることができるため、凹面鏡３の角度を変えながら専用の清掃器具で表面の清掃を行うことができる。
【００１８】
尚、ヘリオスタット１や凸面鏡４は、日陰側建物Ａや日照側建物Ｂの屋上に複数設置しても良い。また、設置する建物としては、ビルや大型集合住宅に限らず、一般住宅にも設置することができる。
【図面の簡単な説明】
【図１】日陰側建物と日照側建物を示す側面図。
【図２】凹面鏡と凸面鏡により太陽光の反射状態を示す説明図。
【図３】回転レバーの回転前の状態を示す日陰側建物の屋上の図。
【図４】回転レバーの回転後の状態を示す日陰側建物の屋上の図。
【符号の説明】
１  ヘリオスタット
２  ヘリオスタットの支柱
３  凹面鏡
４  凸面鏡
５  回転レバー
６  カウンタウェイト
７  回転レバーの支柱
７ａ  回転レバーの回転支点
８  日照側建物の裏面
Ａ  日陰側建物
Ｂ  日照側建物
Ｓ  太陽
Ｌ  太陽光
Ｗ  採光面積
Ｇ  地面
Ｍ  作業員
ａ  日陰側建物の屋上（頂部）
ｂ  日照側建物の屋上（頂部）
ｄ  ヘリオスタットの屋上における外縁からの後退量
【図１】
2005029986.tif 000003
【図２】
2005029986.tif 000004
【図３】
2005029986.tif 000005
【図４】
2005029986.tif 000006